(57)【要約】【課題】  シャッタの全閉時、シャッタの昇降をガイドするシャッタのガイドレールに設けたストッパーとシャッタの座板に設けた座板ロックとの間にアームを突っ張り棒状に介装することにより、シャッタの座板の下に突っ込んだバールでシャッタを開けることのできないシャッタの提供。【解決手段】  開口部のガイドレールに沿って昇降するシャッタと、離間自在に構成され座板ロックを設けた第一の座板部材と座板アームガイド溝を有する座板アームガイドを設けた第二の座板部材とで構成した座板と、前記ガイドレールにアームガイド溝とストッパー部材とを設け、前記ガイドレールのアームガイド溝と第二の座板部材の座板アームガイドの座板アームガイド溝にそれぞれアームの端部を摺動可能に取付け、シャッタの全閉時、前記第二の座板部材の上面に突出する座板ロックの当接面と前記ガイドレールに設けたストッパーとの間に前記アームを突張り棒状に介装する。【選択図】図８
2005163351.tif 000002
【特許請求の範囲】
【請求項１】
建築物の開口部の両側のガイドレールに沿って昇降するシャッターと、一定間隔で離間自在に構成され座板ロックを設けた第一の座板部材と座板アームガイド溝を有する座板アームガイドを設けた第二の座板部材とで構成されたシャッターの座板と、前記ガイドレールにはアームガイド溝とストッパー部材とが設けられ、前記ガイドレールのアームガイド溝と前記第二の座板部材の座板アームガイドの座板アームガイド溝にはそれぞれアーム部材の端部が摺動可能に取付けられており、シャッターの全閉時には、前記第二の座板部材の上面に突出する座板ロックの当接面と前記ガイドレールに設けたストッパーとの間に前記アームが突っ張り棒状に介装されることを特徴とする防犯用シャッター。
【請求項２】
前記アームは長さ調整自在であることを特徴とする請求項１に記載の防犯用シャッター。
【請求項３】
シャッターの全閉時には、前記第一の座板部材の座板ロックと前記第二の座板部材の座板アームガイドとは係止部材で係止されることを特徴とする請求項１または２に記載の防犯用シャッター。
【発明の詳細な説明】
【技術分野】
【０００１】
本発明は、事務所・倉庫荒らしなどの事態に対処するためにビルや倉庫などの建物の開口部に設置した防犯用のシャッター装置の施錠装置に関するものである。
【背景技術】
【０００２】
ビルや倉庫などの開口部に火災などに対処するために防火シャッターを設置することを義務付けられている。この防火シャッターを構成するスラッターは通常金属製であることから、不燃であり防火への対処のみならず、構造的にも堅固であることから防犯性の点でも有効であることから防犯用シャッターとして多く用いられている。このビルや倉庫などの開口部に設置された防火・防犯シャッターの一般的に使用されているシャッターの施錠装置として、従来、床面に植設した逆Ｕボルトを床面まで下ろした状態の防犯シャッターの下端の座板に形成された孔に挿通し、この孔から突出する逆Ｕボルトの輪かん部に錠前を取付けて施錠することが行われている。
【０００３】
また、別タイプのシャッター装置の施錠装置として、図１６に示すように、シャッターの下端に設けた座板は、離間自在の上座板５０と下座板５１とで構成されている。上座板５０の長さ方向両端部には断面視略コ字状のフレーム材５２が下向き開口状に設けてあり、フレーム材５２にはリンク片５３が上下方向に回動自在に枢着されている。下座板５１の長さ方向両端部には断面視略コ字状のフレーム材５４がフレーム材５２と対向するように上向き開口状に設けてあり、フレーム材５４には回動ラッチ片５６が上下方向に回動自在に枢着されている。尚、リンク片５３の回動支点と回動ラッチ片５６の回動支点とは同一鉛直線上に位置している。
【０００４】
回動ラッチ片５６は略平行四辺形あるいは菱形の形状を有する板状片であり、互いに平行状の上辺５７、下辺５８と、外側（開口部端部側）の斜辺５９、内側（開口中央部側）の斜辺６０とを有し、下方内側の角部６１を介してフレーム材５４に枢着されていると共に、上方外側の角部６２がガイドレール６５の溝内の内壁に向かって臨むようになっている。下座板５１に設けたフレーム材５４の底辺は水平状の当接面５５を形成しており、回動ラッチ片５６の下辺５８が水平状となって当接面５５に当接した場合には、回動ラッチ片５６のさらなる下方への回動が規制される。
【０００５】
一端側をフレーム材５２に枢着されたリンク片５３の他端側は二又状となっており、かかる二又部が回動ラッチ片５６の他端側と回動ラッチ片５６の上方内側角部とが互いに回動自在に連結されている。したがって、上座板５０と下座板５１と両側部において屈曲自在に枢着されたリンク片５３と回動ラッチ片５６によって接離自在に連結され、シャッターの昇降時にはリンク片５３と回動ラッチ片５６とは拡開状となって下座板５１は間隔を存して上座板５０より吊持されている。上座板５０と下座板５１の間隔が狭まることでリンク片５３と回動ラッチ片５６とが屈曲して回動ラッチ片５６の上方外側の角部６２がガイドレール６５の内壁面に向かって突出するように下方に回動する。
【０００６】
ガイドレール６５の内壁面にはガイドレール６５の下端部位を除いてガイドレール６５の高さの略全体に延出するテープスイッチ６３が配設してあり、このテープスイッチ６３の下端部に近接してラッチ係止部６４が水平状に突成してある。開口部の全閉時において、下座板５１が床面に着床し、これに上座板５０が上方から近接して当接すると、リンク片５３および回動ラッチ片５６がガイドレール６５の内壁面に向かって屈曲し、回動ラッチ片５６は、下辺５８が水平状になってフレーム材５４の当接面５５に当接するまで下方に回動し、回動ラッチ片５６の上方外側の角部６２がガイドレール６５の内壁面に向かって突出し、水平状の上辺５７がラッチ係止部６４の下方に位置することになる。符号６７はシャッターのスラットである。
【０００７】
このようなシャッターの全閉状態において、シャッターを無理に持ち上げようとすると、下座板５１に設けた回動ラッチ片５６の上辺５７が下方からラッチ係止部６４に当接係止すると共に、回動ラッチ片５６の下辺５８がフレーム材５４の水平状の当接面５５に当接するので、この状態で回動ラッチ片５６の回動が規制される。回動ラッチ片５６と当接面５５とは面で当接することで強度を負担するので、シャッターを持ち上げようとする力に良好に対応することができる。（［特許文献１］の記載参照）
【特許文献１】特開平１１−３５０８５８号公報
【０００８】
また、図示されていないが、下げられたシャッターの下方部にハンドル操作でシャッターの座板の両側部からロッド棒を介してクレモンボルトが突出し、建物の開口部の両側のガイド溝又はガイド支柱のガイド溝に形成された受け座にはまってシャッターの上昇を止めるタイプのクレモン式の施錠装置を取付けたシャッターの施錠装置も知られている。
【０００９】
しかしながら、いずれのシャッターの施錠装置においても、近年増加している犯罪、シャッター下部の座板と床面との隙間にバールなどの工具の先端部を突っ込んで、シャッターを強引に持ち上げると云う犯罪行為に対しては、シャッターに設けられた施錠装置が簡単に壊されてシャッターが持ち上げられてしまい、建物の内部への侵入を防止することができなかった。
【発明の開示】
【発明が解決しようとする課題】
【００１０】
そこで本発明では、シャッターの全閉時に、建物の開口部に取付けたシャッターの昇降をガイドするシャッターのガイドレールに設けたアームの上部ストッパーとシャッターの座板に設けた座板ロックとの間にアームを突っ張り棒状に介装することにより、シャッター下部の座板と床面との隙間にバールを突っ込み、強引な力でシャッターをこじ開けるによってシャッターを持ち上げることのできないような対応策を講じた防犯用シャッターを提供することを目的とするものである。
【課題を解決するための手段】
【００１１】
上記目的を達成するため、本発明の請求項１に記載の発明は、建築物の開口部の両側のガイドレールに沿って昇降するシャッターと、一定間隔で離間自在に構成され座板ロックを設けた第一の座板部材と座板アームガイド溝を有する座板アームガイドを設けた第二の座板部材とで構成されたシャッターの座板と、前記ガイドレールにはアームガイド溝とストッパー部材とが設けられ、前記ガイドレールのアームガイド溝と前記第二の座板部材の座板アームガイドの座板アームガイド溝にはそれぞれアーム部材の端部が摺動可能に取付けられており、シャッターの全閉時には、前記第二の座板部材の上面に突出する座板ロックの当接面と前記ガイドレールに設けたストッパーとの間に前記アームが突っ張り棒状に介装されることを特徴とするものである。上記目的を達成するため、本発明の請求項２に記載の発明は、アームは長さ調整自在であることを特徴とするものである。また、上記目的を達成するため、本発明の請求項３に記載の発明は、シャッターの全閉時には、前記第一の座板部材の座板ロックと前記第二の座板部材の座板アームガイドとは係止部材で係止されることを特徴とするものである。
【発明の効果】
【００１２】
本発明の請求項１に記載の発明は、シャッターの座板を構成する第一の座板部材に設けられた座板ブロックの上片の上隅部に形成された座板ブロックの当接部とアームの上部ストッパーのアームの上部ストッパーの当接部とに当接するアームと座板とシャッターのガイドレールとで三角形状の剛体を形成しているので、シャッターの座板の下部に加えられたシャッターを強引に持ち上げる力は、第一の座板部材に設けられた座板ブロックの座板ブロックの当接部を経てアームの下部アームストッパーの当接部に作用し、この下部アームストッパーの当接部に作用する力は、アームのアームの上部当接部からシャッターのガイドレールに設けられたアームの上部ストッパーのアームの上部ストッパーの当接部に作用するので、アームが、座板の座板ブロックとシャッターのガイドレールのアームの上部ストッパーとの間で突っ張り棒状態となり、シャッターが座板下からの力でこじ開けられるのを防止することができる。また、本発明の請求項２に記載の発明は、アームの長さを調整自在とすることにより、施工現場での対応を容易に行うことができる。
【００１３】
また、本発明の請求項３に記載の発明は、シャッターの座板を構成する第一の座板部材に設けられた座板ブロックの上片の上隅部に形成された座板ブロックの当接部とアームの上部ストッパーのアームの上部ストッパーの当接部とに当接するアームと座板とシャッターのガイドレールとで三角形状の剛体とし、アームによる突っ張り棒状態により閉鎖されたシャッターの施錠装置としてより防犯性を高め、シャッターの閉鎖時のシャッターの中間部を押し上げて開けようとする外的な力でシャッターの座板を構成する第一の座板部材と第二の座板部材とが離間を防止すると共に、第一の座板部材に設けられた座板ブロックの上片にロックピン孔を、また、第２の座板部材に座板アームガイドにロックピン孔をそれぞれ設け、シャッターの降下でシャッターの座板を構成する第一の座板部材の底部が床面に着地し、その後、第二の座板部材の折曲片が第一の座板部材の底部に当接した際に、前記座板ブロックの上片のロックピン孔と座板アームガイドのロックピン孔とに屋内側から係止部材としてのロックピンを挿通して、第一の座板部材と第二の座板部材との離間を防止することができる。
【発明を実施するための最良の形態】
【００１４】
シャッターの全閉時に、シャッター下部の座板と床面との隙間にバールを突っ込み、強引な力でシャッターをこじ開けるによってシャッターを持ち上げることを防止する目的を、建物の開口部に取付けたシャッターの昇降をガイドするシャッターのガイドレールに設けたアームの上部ストッパーとシャッターの座板に設けた座板ロックとの間にアームを突っ張り棒状に介装することで実現した。
【実施例】
【００１５】
本発明の実施の態様を図１〜１５によって説明する。図１は、本発明の防犯用シャッターの降下して半閉状態を示す正面図で、図２は、本発明の防犯用シャッターの更に降下した状態を示す正面図で、図３は、本発明の防犯用シャッターの全閉状態を示す正面図で、図４は、図２のＡ部分の拡大図で、図５は、図１のＢ部分の拡大図で、図６は、本発明の防犯用シャッターの座板が床面に達した時の、アームの上部ストッパーとアームとの関係状態図で、図７は、本発明の防犯用シャッターの座板が床面に達した時の、座板ロックとアームの上部ストッパーとアームとの関係状態図で、図８は、図７で座板が更に降下した時の、座板ロックとアームの上部ストッパーとアームとの関係状態図で、図９は、本発明の本発明の防犯用シャッターの座板が床面に達した状態図である。
【００１６】
図１０は、図９で座板が更に降下した時の、座板の状態図で、図１１は、図９の概略平面図で、図１２は、本発明の他の実施の態様で、長さ調節としたアームを示す図で、図１３は、本発明の他の実施の態様で、座板ブロックと座板アームガイドとをロックピンでロック前の状態側面図で、図１４は、本発明の他の実施の態様で、座板ブロックと座板アームガイドとをロックピンでロックした状態の概略側面図で、図１５は、本発明の他の実施の態様で、座板ブロックと座板アームガイドとをロックピンでロックした状態の概略断面図である。
【００１７】
複数枚のスラット６、６、・で構成されると共に、建物開口部上部の天井１内に収納されモーター等により駆動される巻取りシャフト２に取付けられ、下端に座板７を有するシャッター５は、建物開口部の両側部に設けた断面形状がコ字状のシャッターのガイドレール４、４の互いに向かい合う開口間に案内され、モーターにより駆動される巻取りシャフト２の巻き出し・巻戻しにより天井１と床面３との間で昇降され建物開口部を閉鎖又は開放するようになっている。
【００１８】
符号８はシャッター５の屋内側に取付けられるアームで、アーム８の一端に設けられたアームの下部のガイド軸１３がシャッターの座板７に設けられた座板アームガイド１１の座板アームガイド溝１２に摺動可能に取付けられると共に端側面には、下部アームストッパーの当接部１８を有する下部アームストッパー２０が取付けられている。また、アーム８の他端に設けられたアームの上部のガイド軸１５は、建物開口部の側部に設けられたシャッターのガイドレール４の屋内側の壁面に形成されたアームガイド溝１０に摺動可能に取付けられている。なお、シャッターのガイドレール４の屋内側の壁面に形成されたアームガイド溝１０は、天井１からシャッターのガイドレール４の中途までの長さで形成されていると共に、該アームガイド溝１０の下端の近傍のシャッターのガイドレール４の溝内にはアームの上部ストッパーの当接部１７を有するアームの上部ストッパー９が設けられている。
【００１９】
シャッターの座板７は、互いに遊嵌する第一の座板部材７１と第二の座板部材７２とから成っている。第一の座板部材７１は、シャッター５の幅と同長で断面形状上向きのコ字状の溝体で、その上端の内側に折曲した折曲片７１１は互いに向き合っている。第一の座板部材７１の断面形状上向きのコ字状の溝体の内側底面に取付けられた座板ブロック１４は、略四角形状で両上隅部に座板ブロックの当接部１９、１９を有する板状体で、座板ブロック１４の上片は、後述する第二の座板部材７２の折曲上面７２４と、この折曲上面７２４に取付けられた断面形状Ｌ字状の座板アームガイド１１の底片とに形成されたスリット状の孔に挿通され、座板アームガイド１１の底片の上面から僅か突出している（図９の記載参照）。なお、この座板ブロック１４は開口部の幅により、シャッター座板７の中央部に１個を付設する場合や、また、座板アームガイド１１の外側に隣接して２個を付設する場合がある。
【００２０】
第二の座板部材７２はシャッター５の幅と同長で、その上端部がシャッター５を構成する下端のスラット６に溶接又は適宜の取付手段により取付けられ、シャッターの座板７の第一の座板部材７１の断面形状上向きのコ字状の溝体内に収納されると共に、第一の座板部材７１の溝体上端の折曲片７１１にそれぞれ引掛かる折曲片７２３、７２３を有している。そして、この第二の座板部材７２は、第一の座板部材７１の溝体上端の折曲片７１１に引掛かる折曲片７２３を有する断面形状Ｌ字状の部材７２１と、第一の座板部材７１の溝体上端の折曲片７１１に引掛かる折曲片７２３を有し断面形状クランク状の部材７２２とで構成されている。また、この断面形状クランク状の部材７２２の上面には、断面形状Ｌ字状の座板アームガイド１１の底片が取付けられており、この座板アームガイド１１には、アームの下部のガイド軸１３を座板の長さ方向にガイドする座板アームガイド溝１２が設けられている。
【００２１】
第一の座板部材７１と第二の座板部材７２とは互いに折曲片７１１と折曲片７２３とが距離ａだけ離間自在となって引掛かりながら遊嵌しており、シャッター５が降下されて床面３にシャッターの座板７が到達した際、第一の座板部材７１の底部が先ず床面３に着地し、そののち、第二の座板部材７２の折曲片７２２が、離間する距離ａ分遅れて第一の座板部材７１の底部に当接する。この当接により、第一の座板部材７１の溝体の内側底面に取付けられた座板ブロック１４の上片は、第二の座板部材７２の折曲上面７２４と、この折曲上面７２４に取付けられた断面形状Ｌ字状の座板アームガイド１１の底片とに形成されたスリット状の孔に挿通され、座板アームガイド１１の底片の上面から更にａ分突出する（図１０の記載参照）。
【００２２】
巻取りシャフト２を適宜の動力手段により駆動してシャッター５を降下させると、シャッター５の降下に伴ってアーム８の下部に設けられたアームの下部のガイド軸１３は、シャッターの座板７の第二の座板部材７２に設けられた座板アームガイド１１の座板アームガイド溝１２に摺動可能に取付けられており、また、アームの上部に設けられたアームの上部のガイド軸１５は、建物開口部の側部に設けられたシャッターのガイドレール４の屋内側の壁面に形成されたアームガイド溝１０に摺動可能に取付けられており、アーム８は天井１から昇降の途中まではシャッターの座板７に平行となって降下する。
【００２３】
シャッター５が降下してアームの上部のガイド軸１５が、天井１からシャッターのガイドレール４の中途までの長さに形成されているアームガイド溝１０の下端に到達すると、アームの上部のガイド軸１５の摺動は止められる。そして、シャッター５が更に降下すると、アームの下部のガイド軸１３は、シャッターの座板７の第二の座板部材７２に設けられた座板アームガイド１１の座板アームガイド溝１２に摺動可能に取付けられているので、シャッター５の降下と共に降下し続ける。
【００２４】
したがって、アームの下部のガイド軸１３の降下に伴ってアーム８はアームの上部のガイド軸１５を回転軸として回転し始め、アーム８の長さが一定であることから、アーム８の回転に伴ってアームの下部のガイド軸１３は、座板アームガイド１１の座板アームガイド溝１２内を摺動移動して、座板アームガイド１１の座板アームガイド溝１２の端部側に引き寄せられる。そして、シャッター５が更に降下して、シャッター５の座板７を構成する第一の座板部材７１の底部が床面３に着地し、その後、第二の座板部材７２の折曲片７２２が、離間する距離ａ分遅れて第一の座板部材７１の底部に当接することによりその降下を停止する。
【００２５】
そして、第一の座板部材７１の断面形状上向きのコ字状の溝体の内側底面に取付けられ、第二の座板部材７２の折曲上面７２４と、この折曲上面７２４に取付けられた断面形状Ｌ字状の座板アームガイド１１の底片とに形成されたスリット状の孔に挿通され、座板アームガイド１１の底片の上面から僅か突出している座板ブロック１４上片は、第一の座板部材７１と第二の座板部材７２とが離間していた距離ａ分だけ更に突出する。すると、シャッター５の座板７を構成する第一の座板部材７１の底部が床面３に着地の際、第二の座板部材７２の折曲上面７２４と、この折曲上面７２４に取付けられた断面形状Ｌ字状の座板アームガイド１１の底片とに形成されたスリット状の孔に挿通され、座板アームガイド１１の底片の上面から僅か突出している座板ブロック１４上片に接近していた下部アームストッパーの当接部１８は、座板ブロック１４の上片の上隅部に形成された座板ブロックの当接部１９に当接する。
【００２６】
そして、この下部アームストッパーの当接部１８の座板ブロックの当接部１９への当接により、アームの上部当接部１６は、アームガイド溝１０の下端の近傍のシャッターのガイドレール４の溝内に設けられたアームの上部ストッパー９のアームの上部ストッパーの当接部１７に当接する。このように、アーム８の端側面に取付けられた下部アームストッパーの当接部１８とアームの上部当接部１６は、それぞれシャッター５の座板７を構成する第一の座板部材７１に設けられた座板ブロック１４の上片の上隅部に形成された座板ブロックの当接部１９とアームの上部ストッパー９のアームの上部ストッパーの当接部１７とに当接することで、図８に示すように、シャッター５の座板７を構成する第一の座板部材７１に設けられた座板ブロック１４の上片の上隅部に形成された座板ブロックの当接部１９とアームの上部ストッパー９のアームの上部ストッパーの当接部１７とに当接するアーム８と座板７とシャッターのガイドレール４とで三角形状の剛体を形成する。なお、アームガイド溝１０の長さは、座板７とアーム８との成す角度θが４５度以上となる長さに規定される。
【００２７】
このように、シャッター５の座板７を構成する第一の座板部材７１に設けられた座板ブロック１４の上片の上隅部に形成された座板ブロックの当接部１９とアームの上部ストッパー９のアームの上部ストッパーの当接部１７とに当接するアーム８と座板７とシャッターのガイドレール４とで三角形状の剛体を形成しているので、シャッター下部の座板と床面との隙間にバールなどの工具の先端部を突っ込んで、シャッターを強引に持ち上げると云う犯罪行為に対して、シャッター５の座板７の下部に加えられたシャッターを強引に持ち上げる力は、第一の座板部材７１に設けられた座板ブロック１４の座板ブロックの当接部１９を経てアーム８の下部アームストッパーの当接部１８に作用し、この下部アームストッパーの当接部１８に作用する力は、アーム８のアームの上部当接部１６からシャッターのガイドレール４に設けられたアームの上部ストッパー９のアームの上部ストッパーの当接部１７に作用し、アーム８が、座板７の座板ブロック１４とシャッターのガイドレール４のアームの上部ストッパー９との間で突っ張り棒状態となり、シャッターが座板下からの力でこじ開けられるのを防止することができる。
【００２８】
また、このようにアーム８による突っ張り棒状態により閉鎖されたシャッター５は、巻取りシャフト２を開放ボタンを押してシャッターの巻き上げ方向に駆動すると、シャッター５下部の座板７を構成する第一の座板部材７１は床面に着いたままであるが、第２の座板部材７２はシャッター５の巻き上げと共に若干上がる。すると、アーム８は第２の座板部材７２に座板アームガイド１１の座板アームガイド溝１２にアームの下部のガイド軸１３を介して取付けられていることから、アームの端側面に取付けられた下部アームストッパーの当接部１８は、第一の座板部材７１に設けられた座板ブロック１４の座板ブロックの当接部１９から外れる。そして、更にシャッター５の巻き上げによりアームの下部のガイド軸１３は、座板アームガイド１１の座板アームガイド溝１２の端部から内側に摺動してロック状態が外れる。すると、アーム８のアームの上部当接部１６はアームの上部ストッパー９のアームの上部ストッパーの当接部１７とのロック状態から外れてアームガイド溝１０を摺動して上昇するので、シャッター５を開放することができる。
【００２９】
なお、図１２に示すように、建物開口部にシャッターの設置において、開口部の高さ及び開口幅において施工誤差に対応するため、アーム８を第一アーム８１及び第二アーム８２とで構成し第一アーム８１と第二アーム８２とを一方のアームに成形した長孔２２と他方のアームに成形したネジ穴にアーム固定ボルト２３により結合して長さ調節したアームを示している。また、図示していないが、ネジ式の入れ子式により長さ調節することも可能である。このようにアームの長さ調整をすることにより、施工現場での対応が容易に行うことができる。
【００３０】
また、シャッター５の座板７を構成する第一の座板部材７１に設けられた座板ブロック１４の上片の上隅部に形成された座板ブロックの当接部１９とアームの上部ストッパー９のアームの上部ストッパーの当接部１７とに当接するアーム８と座板７とシャッターのガイドレール４とで三角形状の剛体とし、アーム８による突っ張り棒状態により閉鎖されたシャッターの施錠装置としてより防犯性を高め、シャッターの閉鎖時のシャッターの中間部を押し上げて開けようとする外的な力でシャッターの座板７を構成する第一の座板部材７１と第二の座板部材７２とが離間を防止のため、図１３〜１５に示すように、第一の座板部材７１に設けられた座板ブロック１４の上片にロックピン孔２４を、また、第２の座板部材７２に座板アームガイド１１にロックピン孔２５をそれぞれ設け、シャッター５の降下でシャッター５の座板７を構成する第一の座板部材７１の底部が床面３に着地し、その後、第二の座板部材７２の折曲片７２２が第一の座板部材７１の底部に当接した際に、前記座板ブロック１４の上片のロックピン孔２４と座板アームガイド１１のロックピン孔２５とに屋内側から係止部材としてのロックピン２６を挿通して、第一の座板部材７１と第二の座板部材７２との離間を防止する。
【００３１】
そして、シャッターを開ける際には、巻取りシャフト２を開放ボタンを押してシャッターの巻き上げ方向に駆動する以前にこのロックピン２６を抜き取ってから、記した方法によりシャッターを開ける。このようにシャッターの閉鎖時に、座板ブロック１４の上片のロックピン孔２４と座板アームガイド１１のロックピン孔２５とに屋内側からロックピン２６を挿通して、第一の座板部材７１と第二の座板部材７２との離間を防止することにより、シャッターの中間部を押し上げて開けようとする外的な力によるシャッターの開放を防止すると共に、このロックピン２６を抜き取らない限りシャッターを開放することができないようにすることで、シャッターの施錠装置としてより防犯性を高める。
【図面の簡単な説明】
【００３２】
【図１】本発明の防犯用シャッターの降下して半閉状態を示す正面図である。
【図２】本発明の防犯用シャッターの更に降下した状態を示す正面図である。
【図３】本発明の防犯用シャッターの全閉状態を示す正面図である。
【図４】図２のＡ部分の拡大図である。
【図５】図１のＢ部分の拡大図である。
【図６】本発明の防犯用シャッターの座板が床面に達した時の、アームの上部ストッパーとアームとの関係状態図である。
【図７】本発明の防犯用シャッターの座板が床面に達した時の、座板ロックとアームの上部ストッパーとアームとの関係状態図である。
【図８】図７で座板が更に降下した時の、座板ロックとアームの上部ストッパーとアームとの関係状態図である。
【図９】本発明の本発明の防犯用シャッターの座板が床面に達した状態図である。
【図１０】図９で座板が更に降下した時の、座板の状態図である。
【図１１】図９の概略平面図である。
【図１２】本発明の他の実施の態様で、長さ調節としたアームを示す図である。
【図１３】本発明の他の実施の態様で、座板ブロックと座板アームガイドとをロックピンでロック前の状態側面図である。
【図１４】本発明の他の実施の態様で、座板ブロックと座板アームガイドとをロックピンでロックした状態の概略側面図である。
【図１５】本発明の他の実施の態様で、座板ブロックと座板アームガイドとをロックピンでロックした状態の概略断面図である。
【図１６】従来のシャッター装置の施錠装置の側面図である。
【符号の説明】
【００３３】
１  天井、  ２  巻取りシャフト、  ３  床面、  ４  シャッターのガイドレール、
５  シャッター、  ６  スラット、  ７  座板、  ７１  第一の座板部材、
７２  第二の座板部材、  ８  アーム、  ８１  第一アーム、  ８２  第二アーム、
９  アームの上部ストッパー、  １０  アームガイド溝、  １１  座板アームガイド、
１２  座板アームガイド溝、  １３  アームの下部のガイド軸、  １４  座板ブロック、
１５  アームの上部のガイド軸、  １６  アームの上部当接部、
１７  アームの上部ストッパーの当接部、  １８  下部アームストッパーの当接部、
１９  座板ブロックの当接部、  ２０  下部アームストッパー、  ２１  ナット、
２２  長孔、  ２３  アーム固定ボルト、  ２４  ロックピン孔、
２５  ロックピン孔、  ２６  ロックピン。
【図１】
2005163351.tif 000003
【図２】
2005163351.tif 000004
【図３】
2005163351.tif 000005
【図４】
2005163351.tif 000006
【図５】
2005163351.tif 000007
【図６】
2005163351.tif 000008
【図７】
2005163351.tif 000009
【図８】
2005163351.tif 000010
【図９】
2005163351.tif 000011
【図１０】
2005163351.tif 000012
【図１１】
2005163351.tif 000013
【図１２】
2005163351.tif 000014
【図１３】
2005163351.tif 000015
【図１４】
2005163351.tif 000016
【図１５】
2005163351.tif 000017
【図１６】
2005163351.tif 000018